(57)【要約】【課題】操作性に優れ機能向上を図り得る撮像装置を提供する。【解決手段】撮像部と、撮像部で撮影した画像を表示する表示部１０２と、撮像部で撮影した画像を記録する記録部と、印刷機と通信を行うための１０３ａ，１０３ｂ通信部と、印刷機との接続時に印刷機能を操作するための印刷機能操作部１０４，１０５，１０６とを持つ。表示部１０２は、撮像装置本体１０１に対して位置および姿勢変化可能に結合し、その所定部位に印刷機能操作部が配置構成される。【選択図】図１
2007028335.tif 000002
【特許請求の範囲】
【請求項１】
撮像部と、前記撮像部で撮影した画像を表示する表示部と、前記撮像部で撮影した画像を記録する記録部と、印刷機と通信を行うための通信部と、前記印刷機との接続時に印刷機能を操作するための印刷機能操作部と、を持つ撮像装置であって、
前記表示部は、撮像装置本体に対して位置および姿勢変化可能に結合し、その所定部位に前記印刷機能操作部が配置構成されるようにしたことを特徴とする撮像装置。
【請求項２】
前記印刷機能操作部は、その表示面が視認可能な前記表示部の姿勢で操作可能となるように配設されることを特徴とする請求項１に記載の撮像装置。
【請求項３】
前記印刷機能操作部は、前記表示部の表示面と同一面上に配置され、前記印刷機との接続時に印刷を指示するための印刷指示ボタンを含むことを特徴とする請求項１または２に記載の撮像装置。
【請求項４】
前記印刷機能操作部は、前記印刷機との接続時に印刷画像の選択あるいは編集等を行うための操作スイッチもしくはボタンをさらに含むことを特徴とする請求項１〜３のいずれか１項に記載の撮像装置。
【請求項５】
前記印刷機能操作部は撮影時には、撮影時に使用する機能を実行するためのスイッチとして機能することを特徴とする請求項１〜４のいずれか１項に記載の撮像装置。
【発明の詳細な説明】
【技術分野】
【０００１】
本発明は、印刷機（プリンター）との通信により画像を印刷することができるようにした撮像装置に関する。
【背景技術】
【０００２】
従来、撮像装置で撮影した画像を印刷する場合、撮影画像データを一旦コンピュータに取り込み、コンピュータから印刷機(プリンター)に画像データを送信し、印刷指示を行う必要があった。このため撮像装置と印刷機のみでは印刷することはできなかった。
【０００３】
近年、コンピュータを介することなく、直接撮像装置から印刷ボタンと呼ばれるボタンの操作によってプリンタに印刷指示を出し、所望の画像の印刷を行うことができる撮像装置が出現した。これらの撮像装置の多くは、印刷指示ボタンと呼ばれるボタン一つで手軽に印刷指示を行うことができるボタンを備えている。印刷指示ボタンを備えた撮像装置としてたとえば、非特許文献１や非特許文献２に示す撮像装置がある。このような撮像装置では撮像装置を印刷機に接続した際に印刷指示ボタンを押すことによって、画像の印刷が可能である。
【０００４】
【非特許文献１】「デジタルCAPA」，2005年，第21巻4号，p24-27
【非特許文献２】「ビデオサロン」，2005年，第49巻3号，p38
【発明の開示】
【発明が解決しようとする課題】
【０００５】
ところで、印刷指示を行う時は表示部を見ながら、印刷したい画像を選択し、あるいは編集するなどの操作を行い印刷を指示する。このため表示部の表示面を見ながら操作できるすべての状態で、印刷指示操作を行うことが容易であることが求められる。
【０００６】
しかしながら、非特許文献１に示す撮像装置では、表示部の近くに印刷指示ボタンが配置されている。このため表示部を見る場合に印刷指示ボタンが同時に見える。ところが、撮像装置を机の上などに設置して操作を行う際に、机の面が邪魔になり操作し難い、表示面が見難いなど、撮像装置を操作する際の姿勢や位置などによっては、実質的に操作が困難である。
【０００７】
また、非特許文献２に示す撮像装置では、表示部の位置／姿勢が本体に対して変わるようになっているにも関わらず、表示部から離れた本体の一部に印刷指示ボタンが配置されている。このため表示部の位置／姿勢を任意の位置に変えて操作する場合、表示部の位置／姿勢によっては印刷指示ボタンが視認できず、操作が極めて困難となる。
【０００８】
本発明はかかる実情に鑑み、操作性に優れ機能向上を図り得る撮像装置を提供することを目的とする。
【課題を解決するための手段】
【０００９】
本発明の撮像装置は、撮像部と、前記撮像部で撮影した画像を表示する表示部と、前記撮像部で撮影した画像を記録する記録部と、印刷機と通信を行うための通信部と、前記印刷機との接続時に印刷機能を操作するための印刷機能操作部と、を持つ撮像装置であって、前記表示部は、撮像装置本体に対して位置および姿勢変化可能に結合し、その所定部位に前記印刷機能操作部が配置構成されるようにしたことを特徴とする。
【００１０】
また、本発明の撮像装置において、前記印刷機能操作部は、その表示面が視認可能な前記表示部の姿勢で操作可能となるように配設されることを特徴とする。
【００１１】
また、本発明の撮像装置において、前記印刷機能操作部は、前記表示部の表示面と同一面上に配置され、前記印刷機との接続時に印刷を指示するための印刷指示ボタンを含むことを特徴とする。
【００１２】
また、本発明の撮像装置において、前記印刷機能操作部は、前記印刷機との接続時に印刷画像の選択あるいは編集等を行うための操作スイッチもしくはボタンをさらに含むことを特徴とする。
【００１３】
また、本発明の撮像装置において、前記印刷機能操作部は撮影時には、撮影時に使用する機能を実行するためのスイッチとして機能することを特徴とする。
【発明の効果】
【００１４】
本発明によれば、撮像装置をさまざまな位置／姿勢で操作する場合に、どのような位置／姿勢でも印刷指示を容易に行うことができ、印刷指示を行う際に高い操作性を実現できる。また、撮像モードと印刷モードとでそれらの操作ボタン類を共用するようにしたことで、部品点数を増やすことなく、印刷指示時に画像の選択、編集、動画からの画像の抜粋などの複雑な操作が可能になる。
【発明を実施するための最良の形態】
【００１５】
以下、図面に基づき、本発明による撮像装置の好適な実施の形態を説明する。
図１は、この実施形態における撮像装置の概観図を示す。この撮像装置は、撮像装置本体101と、撮像装置本体101に対して回動／開閉可能な表示部102と、印刷機(プリンター)と有線で通信を行う有線通信部103aと、印刷機と無線により通信を行う無線通信部103bと、印刷機接続時に印刷を指示するための印刷指示ボタン104と、印刷画像の選択のための移動や印刷画像の編集などを行うためのスライドスイッチ105と、画像の選択や編集状態の決定を行うための操作ボタン106からなる。
【００１６】
印刷指示ボタン104は撮影時には静止画撮影ボタン、スライドスイッチ105は撮影時にはズームイン／ズームアウト、操作ボタン106は撮影時には動画撮影開始／終了ボタンなどとして機能する。このため通常の撮像装置の構成に部品を追加することなく、印刷指示モード時の複雑な操作が可能である。
【００１７】
表示部102は図２に示すように、回転部107の回転軸107a，107bを中心にして、本体に対して開閉／回動動作が可能である。印刷指示ボタン104、操作ボタン106は表示部102に設けられ、スライドスイッチ105は表示部102の表示面102aと底面102bの二面にまたがり設置されている。このため表示面102aを見ながら操作する印刷指示時に、どのような位置／姿勢であっても容易に複雑な操作が可能である。
【００１８】
撮像装置と印刷機は図３に示すような構成であり、なお、（）カッコ内に図１および図２の対応部材の符号を示すが、撮像部301で撮影した画像を制御部302で信号処理し、表示部303（102）に表示するとともに記録部304に記録する。この撮像装置は、印刷機と有線にて通信を行う有線通信部305a（103 a）と、印刷機と無線で通信を行う無線通信部305b（103b）と、印刷機との通信の有無を検知する通信検知部306と、印刷指示ボタン104、スライドスイッチ105および操作ボタン106を含む操作部307（印刷機能操作部）とを持つ。
【００１９】
印刷機は印刷を行う印刷部311と、制御部312と他の機器と有線で通信を行う有線通信部313aと、他の機器と無線で通信を行う無線通信部313bとから構成される。このような構成の撮像装置で、撮影時は撮像部301で撮影した画像を制御部302で信号処理し、表示部303に表示するとともに記録部304に記録する。再生時は、記録部304に記録されたデータを制御部302が読み出し、信号処理を行うことによって表示部303に表示する。
【００２０】
印刷指示時は前提として、撮像装置と印刷機が有線通信部305aと313aもしくは無線通信部305b，313bによって、撮像装置と印刷機の間で通信があることを通信検知部306が検知していることが必要である。このようなとき図４の動作フローに示すように、STEP401で印刷指示ボタン104を操作して印刷指示を行うと、STEP402で記録部304に記録されているデータを制御部302が読み出して信号処理を行う。そして、STEP403で有線通信部305aまたは無線通信部313aから印刷機にデータを送信する。STEP411ではこのデータを印刷機側が有線通信部305bまたは無線通信部313bで受信して制御部312で信号処理をし、STEP412で印刷部311から出力する。
【００２１】
また、画像を印刷する場合には、図６のように画面に表示された複数の画像の中から所望の画像を選択する。そして、印刷指示ボタン104を操作することにより、選択した画像を印刷する。詳しい印刷操作を図５の操作フローを用いて説明する。画像の選択にはスライドスイッチ105を使用する。この際に、選択されている画像601のようにハイライト表示される。 STEP502でスライドスイッチ105を操作することによって、表示部内でハイライト表示されている画像を変更することができる。スライドスイッチ105を左右に動かすと、図６に示す矢印のようにハイライト表示が順次移動する。STEP503で所望の画像がハイライト表示されていることを確認し、STEP504で印刷指示ボタン104を操作する。これによって、STEP505でハイライト表示された画像のデータが印刷機に送信され、図４で説明したように印刷機で印刷される。
【００２２】
次に、編集した画像の印刷操作について、図７の操作フローを用いて説明する。画像に対して、明るさ／コントラストの調整、トリミングなどを編集を行ってから印刷したい場合には先ず、STEP701でスライドスイッチ105により編集したい画像をハイライト表示させる。スライドスイッチ105を左右に動かすと、図６に示す矢印のようにハイライト表示が順次移動する。次に、STEP702で操作ボタン106を操作することによって、STEP703の編集モードとなり、図８に示す明るさ設定画面になる。
【００２３】
そこで、 STEP704ではスライドスイッチ105により明るさの度合いを調整する。スライドスイッチを右に動かすと画像が明るく、左に動かすと画像が暗くなる。STEP705で画像が所望の明るさになった時点で、STEP706に移り、印刷指示ボタン104操作する。これによって、STEP707で編集内容が確定し、STEP708に進み、編集した画像のデータが図４で説明したように印刷機に送信され、印刷される。
【００２４】
このように表示部が回動／開閉する撮像装置において、表示部に印刷指示ボタンを設けることによって、印刷指示を行う際に高い操作性を実現できる。また、部品点数を増やすことなく、印刷指示時に画像の選択、編集、動画からの画像の抜粋などの複雑な操作が可能になる。
【図面の簡単な説明】
【００２５】
【図１】本発明の実施形態における撮像装置の外観図である。
【図２】本発明の撮像装置における表示部の開閉／回動動作を模式的に示す図である。
【図３】本発明の撮像装置の構成を示す図である。
【図４】本発明の撮像装置と印刷機の動作を示すフローチャートである。
【図５】本発明の撮像装置での所望の画像を印刷する際の操作を示すフローチャートである。
【図６】本発明の撮像装置における表示部に表示される画像の一覧の例を概略的に示す図である。
【図７】本発明の撮像装置で編集した画像を印刷する際の操作を示すフローチャートである。
【図８】本発明の撮像装置で編集程度を調整するときの表示例を模式的に示す図である。
【符号の説明】
【００２６】
101  撮像装置本体
102  表示部
102a  表示部表示面
102b  表示部底面
103a  有線通信部
103b  無線通信部
104  印刷指示ボタン
105  スライドスイッチ
106  操作ボタン
107  回転部
107a  開閉用回転軸
107b  回転用回転軸
301  撮像部
302  制御部
303  表示部
304  記録部
305a  有線通信部
305b  無線通信部
306  通信検知部
307  操作部
311  印刷部
312  制御部
313a  有線通信部
313b  無線通信部
601  ハイライトされた選択画像
【図１】
2007028335.tif 000003
【図２】
2007028335.tif 000004
【図３】
2007028335.tif 000005
【図４】
2007028335.tif 000006
【図５】
2007028335.tif 000007
【図６】
2007028335.tif 000008
【図７】
2007028335.tif 000009
【図８】
2007028335.tif 000010